(57)【要約】【課題】タッチパネルに対して複数種類の入力処理を特別な切り替え操作無しで行う。【解決手段】本発明のリモコン２は、複数の領域を含んで構成される入力面に対するユーザの接触位置を検出するタッチパネル５と、タッチパネル５が検出した接触位置が含まれる入力エリアが、ある入力エリアから他の入力エリアへと変化した場合には、タッチパネル５への入力を座標入力として処理することを指示する命令を生成し、タッチパネル５が接触位置を検出してから接触位置を検出しなくなるまでの間の接触位置が、１つの入力エリアに常に含まれていた場合には、上記接触位置が含まれる入力エリアに対応付けられたキー入力処理を行うことを指示する命令を生成する制御部１０とを備えているので、座標入力およびキー入力の２つの入力処理を特別な切り替え操作無しで行うことができる。【選択図】図１
2008165574.tif 000002
【特許請求の範囲】
【請求項１】
複数の領域を含んで構成される入力面に対するユーザの接触位置を検出する入力部と、
上記入力部が検出した接触位置が、ある領域から他の領域へと移動した場合には、第１の処理を行うことを指示する命令を生成し、上記入力部が接触位置を検出してから接触位置を検出しなくなるまでの間の接触位置が、上記複数の領域の１つに常に含まれていた場合には、当該領域に対応付けられた第２の処理を行うことを指示する命令を生成する命令生成手段とを備えていることを特徴とする入力装置。
【請求項２】
複数の領域を含んで構成される入力面に対するユーザの接触位置を検出する入力部を備え、該入力部が検出した接触位置を座標データとして出力する入力装置であって、
上記入力部が接触位置を検出してから接触位置を検出しなくなるまでの間の接触位置が、上記複数の領域の１つに常に含まれていた場合に、当該領域に対応付けられた処理を行うことを指示する命令を生成する命令生成手段を備えていることを特徴とする入力装置。
【請求項３】
上記入力面における各領域の範囲、または各領域に対応付けられている処理を変更する領域割当変更手段を備えていることを特徴とする請求項１または２に記載の入力装置。
【請求項４】
上記命令生成手段が生成した命令を外部の装置に送信する送信部を備えていることを特徴とする請求項１から３の何れか１項に記載の入力装置。
【請求項５】
入力装置と受信装置とからなる送受信システムであって、
上記受信装置は、請求項４に記載の入力装置の送信部から送信された上記命令生成手段が生成した命令に従って動作することを特徴とする送受信システム。
【請求項６】
入力装置と受信装置とからなる送受信システムであって、
上記入力装置は、
複数の領域を含んで構成される入力面に対するユーザの接触位置を検出する入力部と、
上記入力部が検出した接触位置を示すデータを上記受信装置に送信する送信部とを備え、
上記受信装置は、
上記入力装置の送信部から送信される接触位置を示すデータを受信する受信部と、
上記受信部が受信した接触位置が含まれる領域が、ある領域から他の領域へと移動した場合には第１の処理を行い、接触位置を示すデータを受信してから接触位置を示すデータを受信しなくなるまでの間の接触位置が、上記複数の領域の１つに常に含まれている場合には、当該領域に対応付けられた第２の処理を行う受信装置制御手段とを備えていることを特徴とする送受信システム。
【請求項７】
複数の領域を含んで構成される入力面に対するユーザの接触位置を検出する入力装置の入力処理方法であって、
上記入力装置が検出した接触位置が含まれる領域が、ある領域から他の領域へと変化した場合に、第１の処理を行うことを指示する命令を生成するステップと、
上記入力装置が接触位置を検出してから接触位置を検出しなくなるまでの間の接触位置が、上記複数の領域の１つに常に含まれている場合に、当該領域に対応付けられた第２の処理を行うことを指示する命令を生成するステップとを含むことを特徴とする入力処理方法。
【請求項８】
請求項１から４の何れか１項に記載の入力装置、または請求項６に記載の受信装置を動作させる制御プログラムであって、コンピュータを上記各手段として機能させるための制御プログラム。
【発明の詳細な説明】
【技術分野】
【０００１】
本発明は、複数種類の入力処理を特別な切り替え操作無しで行うことのできる入力装置等に関するものである。
【背景技術】
【０００２】
近年、ＰＣ（パーソナルコンピュータ）を初めとする各種電子機器は、急速に高性能化、多機能化、小型化しており、これらの電子機器に入力指示を行う入力装置にも、電子機器の高性能化、多機能化、小型化に対応すべく、様々な工夫が施されている。
【０００３】
例えば、ＰＣで計算処理等を行う場合、主に数字の入力を行うことになる。このような場合、入力装置としてテンキーが利用されている。テンキーを用いることで容易に、かつスピーディに数字の入力を行うことができる。テンキーは、デスクトップ型のＰＣのキーボードには始めから組み込まれている場合がほとんどである。
【０００４】
一方、ノート型ＰＣでは、小型化のために、テンキーを備えていないものが一般的である。したがって、ノート型ＰＣでテンキー入力を行うためには、外付けのテンキーを利用する必要があるが、外付けのテンキーを利用することは、ノート型ＰＣの小型であるという利点を損なうことにもなる。
【０００５】
また、ノート型ＰＣでは、マウスの代わりにタッチパッドで座標入力するものが一般的であり、一般的にタッチパッドを備えている。そこで、特許文献１では、タッチパッドをテンキーとして利用できるようにすることで、ノート型ＰＣでテンキー入力を可能にしている。
【０００６】
具体的には、特許文献１では、図１７に示すような外観のパーソナルコンピュータ（ノート型ＰＣ）１０１が開示されている。図示のように、特許文献１に開示されているノート型ＰＣは、機能ボタン１０２およびタッチパッド１０３を備えている。また、タッチパッド１０３は、図１８に示すように、４×４の１６区画に分割されており、分割された各区画には、数字や算術記号などがそれぞれ割り当てられている。
【０００７】
特許文献１では、機能ボタン１０２が操作された場合に、タッチパッド１０３からの入力をテンキー入力と判断することにより、ノート型ＰＣにおけるテンキー入力を可能にしている。
【０００８】
すなわち、特許文献１の技術では、タッチパッド１０３という１つの入力装置を用いて、通常の座標入力とテンキー入力との２通りの入力を行えるようにしており、これによりノート型ＰＣの小型であるという利点を損なわずにテンキーを利用することができる。
【０００９】
また、特許文献２では、デスクトップ型ＰＣのキーボードに備えられているテンキー部分をタッチパッドで構成している。そして、キーボード上に設けられた「ＭＯＵＳＥ」キーを押下することで、タッチパッド入力モードとテンキー入力モードとを切り替えるようになっている。
【００１０】
具体的には、特許文献２では、「ＭＯＵＳＥ」キーを押下しているときに、タッチパッドに触れることによって座標入力を行うことができ、「ＭＯＵＳＥ」キーを押下していないときにタッチパッドに触れることによってテンキー入力を行うことができる。
【００１１】
すなわち、特許文献２の技術では、タッチパッドという１つの入力装置を用いて、通常の座標入力とテンキー入力との２通りの入力を行えるようにすることで、マウスを用いる場合と比べて省スペースで座標入力とテンキー入力との両方を行うことを可能にしている。
【特許文献１】特開２０００−２８４９００号公報（２０００年１０月１３日公開）
【特許文献２】特開平１１−１０２２４７号公報（１９９９年４月１３日公開）
【発明の開示】
【発明が解決しようとする課題】
【００１２】
しかしながら、上記従来の構成では、テンキー入力と座標入力との切り替えを行うときに「機能ボタン」や「ＭＯＵＳＥ」キーを操作する必要がある。
【００１３】
すなわち、ノート型ＰＣやＰＣのキーボードには、ただでさえ多くの入力キーが設けられている。その上、さらにテンキー入力への切り替えを行うためのキーを追加した場合、ユーザにとって、どのボタンを押せばテンキー入力と座標入力との切り替えができるのかを把握することは困難な作業となる。つまり、切り替えのためのキーを新たに設けることは、ユーザの操作性という観点から好ましくない。
【００１４】
また、図１８に示すように、タッチパッド１０３に数字や算術記号が記載されている場合、一見、その数字や記号の部分を押すだけでテンキー入力ができるように感じるが、実際には、機能ボタン１０２を操作しなければテンキー入力を行うことができない。
【００１５】
つまり、特許文献１の構成で、ユーザがテンキー入力を行うためには、パーソナルコンピュータ１０１には機能ボタン１０２が備えられていること、そして、機能ボタン１０２を操作した後、タッチパッド１０３に触れることによってテンキー入力ができるということを、マニュアル書等を読むなどして予め知っておく必要がある。しかしながら、多くのユーザにとって、分厚いマニュアル書を読み込んでテンキー入力の方法を調べることは容易ではない。
【００１６】
これは、ＰＣに限らず、テレビやビデオ、ＤＶＤ（Digital Versatile Disk）等の電子機器全般に言えることである。すなわち、これらの電子機器は、１つの機器で多様な機能を備える多機能化が進んでいるが、その多様な機能を実行指示するために新たな入力キー等を設けると、入力装置が複雑化してユーザの操作性が低下してしまう。
【００１７】
例えば、テレビの視聴ができるＰＣをリモコン（リモートコントローラ）を用いて操作する場合、そのリモコンには、テレビのチャンネル操作用の入力装置（チャンネル選択ボタン等）とＰＣ操作用の入力装置（例えばトラックボール等）とを備える必要がある。
【００１８】
しかしながら、このような多種類の入力装置を備えたリモコンは、ユーザにとって扱い難いものであった。
【００１９】
すなわち、ＰＣ、テレビ、ビデオ、ＤＶＤ等の電子機器に対して入力操作を行うための入力装置には、その電子機器が備える多様な機能を操作するための複数種類の処理入力を行うことが求められると共に、ユーザが容易に使用できる操作性の良さが求められている。
【００２０】
本発明は、上記の点に鑑みてなされたものであり、その目的は、複数種類の入力処理を特別な切り替え操作無しで行うことのできる入力装置等を実現することにある。
【課題を解決するための手段】
【００２１】
本発明に係る入力装置は、上記課題を解決するために、複数の領域を含んで構成される入力面に対するユーザの接触位置を検出する入力部と、上記入力部が検出した接触位置が、ある領域から他の領域へと移動した場合には、第１の処理を行うことを指示する命令を生成し、上記入力部が接触位置を検出してから接触位置を検出しなくなるまでの間の接触位置が、上記複数の領域の１つに常に含まれていた場合には、当該領域に対応付けられた第２の処理を行うことを指示する命令を生成する命令生成手段とを備えていることを特徴としている。
【００２２】
また、本発明に係る入力処理方法は、上記課題を解決するために、複数の領域を含んで構成される入力面に対するユーザの接触位置を検出する入力装置の入力処理方法であって、上記入力装置が検出した接触位置が含まれる領域が、ある領域から他の領域へと変化した場合に、第１の処理を行うことを指示する命令を生成するステップと、上記入力装置が接触位置を検出してから接触位置を検出しなくなるまでの間の接触位置が、上記複数の領域の１つに常に含まれている場合に、当該領域に対応付けられた第２の処理を行うことを指示する命令を生成するステップとを含むことを特徴としている。
【００２３】
上記の構成によれば、入力面に含まれる１つの領域に指やペン等で触れた後、そのまま他の領域へと接触位置を移動させることにより、第１の処理を行うことを指示する命令が生成される。また、入力面に含まれる１つの領域に指やペン等で触れた後、そのままその領域から指やペン等を離すことにより、第２の処理を行うことを指示する命令が生成される。
【００２４】
したがって、上記入力装置および入力処理方法によれば、例えば切り替えボタンを押下するというような特別な切り替え操作を行うことなく、第１および第２の処理という２種類の処理の入力を行うことができる。なお、第１の処理は、例えばユーザの接触位置の軌跡に従って、カーソルを移動させたり、選択領域を変更したりする処理とすることができる。また、第２の処理は、ユーザの所望する任意の処理を各領域に対応付けておけばよい。
【００２５】
また、本発明に係る入力装置は、上記課題を解決するために、複数の領域を含んで構成される入力面に対するユーザの接触位置を検出する入力部を備え、該入力部が検出した接触位置を座標データとして出力する入力装置であって、上記入力部が接触位置を検出してから接触位置を検出しなくなるまでの間の接触位置が、上記複数の領域の１つに常に含まれていた場合に、当該領域に対応付けられた処理を行うことを指示する命令を生成する命令生成手段を備えていることを特徴としている。
【００２６】
上記の構成によれば、入力面に指やペン等で触れることにより、当該入力面におけるユーザの接触位置が出力される。また、入力面に含まれる１つの領域に指やペン等で触れた後、そのままその領域から指やペン等を離すことにより、当該領域に対応付けられた処理を行うことを指示する命令が生成される。
【００２７】
したがって、上記入力装置によれば、ユーザは、入力面に触れることによって、接触位置を座標データとして出力することができると共に、例えば切り替えボタンを押下するというような特別な切り替え操作を行うことなく、各領域に対応付けられた処理を行うことを指示する命令を生成させることができる。
【００２８】
また、上記入力装置は、上記入力面における各領域の範囲、または各領域に対応付けられている処理を変更する領域割当変更手段を備えていることが好ましい。
【００２９】
上記の構成によれば、上記入力面における各領域の範囲や、各領域に対応する処理を変更することができるので、上記入力装置のユーザは、さらに多様な入力処理を行うことができる。
【００３０】
また、上記入力装置は、上記命令生成手段が生成した命令を外部の装置に送信する送信部を備えていることが好ましい。
【００３１】
上記の構成によれば、入力装置に入力された入力指示を外部の装置に送信することができる。なお、外部の機器としては、例えば、パーソナルコンピュータやテレビ放送を受信する放送受信装置等、様々な電子機器が適用できる。
【００３２】
また、本発明に係る送受信システムは、上記課題を解決するために、入力装置と受信装置とからなる送受信システムであって、上記受信装置は、上記入力装置の送信部から送信された、上記命令生成手段が生成した命令に従って動作することを特徴としている。
【００３３】
上記の構成によれば、ユーザは、特別な切り替え操作を行うことなく、入力装置に対して複数種類の処理の入力を行い、各入力に対応する動作を受信装置に実行させることができる。
【００３４】
また、本発明に係る送受信システムは、上記課題を解決するために、入力装置と受信装置とからなる送受信システムであって、上記入力装置は、複数の領域を含んで構成される入力面に対するユーザの接触位置を検出する入力部と、上記入力部が検出した接触位置を示すデータを上記受信装置に送信する送信部とを備え、上記受信装置は、上記入力装置の送信部から送信される接触位置を示すデータを受信する受信部と、上記受信部が受信した接触位置が含まれる領域が、ある領域から他の領域へと移動した場合には第１の処理を行い、接触位置を示すデータを受信してから接触位置を示すデータを受信しなくなるまでの間の接触位置が、上記複数の領域の１つに常に含まれている場合には、当該領域に対応付けられた第２の処理を行う受信装置制御手段とを備えていることを特徴としている。
【００３５】
上記の構成によれば、ユーザは、上記入力装置の入力面に形成されている領域に指やペン等で触れ、そのまま他の領域へと指やペン等を移動させることによって、受信装置に第１の処理を実行させることができる。また、ユーザは、上記入力装置の入力面に形成されている領域に指やペン等で触れ、そのままその領域から指やペン等を離すことによって、受信装置に第２の処理を実行させることができる。
【００３６】
すなわち、上記送受信システムによれば、ユーザは、第１および第２の処理という２種類の動作を受信装置に実行させることができる。そして、上記２種類の動作のそれぞれを実行させるための入力を行うときには、例えば切り替えボタンを押下するというような特別な切り替え操作を行う必要がない。
【００３７】
なお、上記入力装置および送受信システムは、コンピュータによって実現してもよい。この場合、コンピュータを上記各手段として動作させることにより上記入力装置あるいは送受信システムをコンピュータにおいて実現する制御プログラム、およびその制御プログラムを記録したコンピュータ読み取り可能な記録媒体も、本発明の範疇に入る。
【発明の効果】
【００３８】
以上のように、本発明に係る入力装置は、複数の領域を含んで構成される入力面に対するユーザの接触位置を検出する入力部と、上記入力部が検出した接触位置が、ある領域から他の領域へと移動した場合には、第１の処理を行うことを指示する命令を生成し、上記入力部が接触位置を検出してから接触位置を検出しなくなるまでの間の接触位置が、上記複数の領域の１つに常に含まれていた場合には、当該領域に対応付けられた第２の処理を行うことを指示する命令を生成する命令生成手段とを備えている構成である。
【００３９】
また、以上のように、本発明に係る入力装置は、複数の領域を含んで構成される入力面に対するユーザの接触位置を検出する入力部を備え、該入力部が検出した接触位置を座標データとして出力する入力装置であって、上記入力部が接触位置を検出してから接触位置を検出しなくなるまでの間の接触位置が、上記複数の領域の１つに常に含まれていた場合に、当該領域に対応付けられた第２の処理を行うことを指示する命令を生成する命令生成手段を備えている構成である。
【００４０】
そして、以上のように、本発明に係る送受信システムは、入力装置と受信装置とからなる送受信システムであって、上記入力装置は、複数の領域を含んで構成される入力面に対するユーザの接触位置を検出する入力部と、上記入力部が検出した接触位置を示すデータを上記受信装置に送信する送信部とを備え、上記受信装置は、上記入力装置の送信部から送信される接触位置を示すデータを受信する受信部と、上記受信部が受信した接触位置が含まれる領域が、ある領域から他の領域へと移動した場合には第１の処理を行い、接触位置を示すデータを受信してから接触位置を示すデータを受信しなくなるまでの間の接触位置が、上記複数の領域の１つに常に含まれている場合には、当該領域に対応付けられた第２の処理を行う受信装置制御手段とを備えている構成である。
【００４１】
また、以上のように、本発明に係る入力処理方法は、複数の領域を含んで構成される入力面に対するユーザの接触位置を検出する入力部を備える入力装置の入力処理方法であって、上記入力部が検出した接触位置が含まれる領域が、ある領域から他の領域へと変化した場合に、第１の処理を行うことを指示する命令を生成するステップと、上記入力部が接触位置を検出してから接触位置を検出しなくなるまでの間の接触位置が、上記複数の領域の１つに常に含まれている場合に、上記接触位置が含まれる領域に予め対応付けられた第２の処理を行うことを指示する命令を生成するステップとを含む構成である。
【００４２】
したがって、本発明の入力装置、入力処理方法、または送受信システムによれば、例えば切り替えボタンを押下するというような特別な切り替え操作を行うことなく、複数の処理の入力を行うことができるという効果を奏する。
【発明を実施するための最良の形態】
【００４３】
〔実施の形態１〕
本発明の一実施形態について図１ないし図９に基づいて説明すると以下の通りである。
【００４４】
〔送受信システム１の概要〕
まず、図１および図２に基づいて、本発明の送受信システムの概要について説明する。図２は、本発明の送受信システム１の概要を示す平面図である。図示のように、送受信システム１では、リモコン（入力装置）２から放送受信装置３へとＩＲ（Infrared Ray、例えばIrSimple）信号が送信される。そして、放送受信装置３では、受信したＩＲ信号に基づいて処理が行われる。
【００４５】
放送受信装置３は、図示のように、表示画面４が２分割されており、一方にはＰＣ（パーソナルコンピュータ）画面が表示され、他方にはＴＶ（テレビ）画面が表示されている。すなわち、放送受信装置３はＰＣ機能とＴＶ機能との両方を備えており、ＰＣを動作させながらテレビ放送を視聴できるようになっている。
【００４６】
リモコン２は、図示のように、その上面（リモコン２のユーザが操作を行う側の面）に、タッチパネル（入力部）５、および放送受信装置３の電源ＯＮ／ＯＦＦの切り替えを行うための電源ボタン７を備えている。また、リモコン２の側面（リモコン２の操作時に放送受信装置３に向ける側の面）にはＩＲ発信部（送信部）６が設けられており、ＩＲ発信部６からＩＲ信号が送信される。
【００４７】
図示のように、タッチパネル５には、３×４の１２のエリアが表示されている。また、各エリアには、１〜１２の数字がそれぞれ表示されており、この１〜１２までの数字は、それぞれテレビ放送の１〜１２チャンネルに対応している。以下の説明では、この１〜１２の数字が表示されているエリアをそれぞれ入力エリア（１）〜（１２）と呼ぶ。
【００４８】
リモコン２では、タッチパネル５に表示されている入力エリア（１）〜（１２）に触れることにより、放送受信装置３のチャンネルを切り替えることができる。例えば、入力エリア（１）に触れ、そのままタッチパネル５から指を離すと、リモコン２からチャンネルを「１」に切り替える指示が放送受信装置３へと送られる。そして、この指示を受けた放送受信装置３では、チャンネルが「１」に切り替えられる。
【００４９】
すなわち、リモコン２では、従来のテレビ用リモコンと同様に、変更したいチャンネルに対応する入力エリアに触れることによって、テレビのチャンネルを変更することができる。それゆえ、リモコン２のユーザは、従来のリモコンと同じ感覚でリモコン２を使用することができる。
【００５０】
また、リモコン２では、タッチパネル５に表示されている入力エリア間の境界を横切るように触れることで座標入力を行うことができる。これによって、例えばＰＣ画面上のカーソルを移動させる等の処理を放送受信装置３に実行させることができる。
【００５１】
ここで、リモコン２では、座標入力を行う場合と、チャンネル入力を行う場合とで、特別な切り替え動作等を行う必要はなく、リモコン２の操作面には切り替えキー等の余分なキーが増えることがない。すなわち、リモコン２は、特別な切り替え操作を行うことなく、ただ入力エリアと入力エリアとの境界を横切るようにタッチパネル５に触れるだけで座標入力を行うことができるので、誰でも簡単に座標入力を行うことができる。
【００５２】
〔リモコン２の構成〕
次に、リモコン２のより詳細な構成について図１に基づいて説明する。図１はリモコン２の概略構成を示すブロック図である。図示のように、リモコン２は、タッチパネル５、表示部８、タッチパネルＩ／Ｆ（インターフェイス）９、制御部（命令生成手段）１０、記憶部１１、ＩＲ制御部１２、およびＩＲ発信部６を備えている。
【００５３】
タッチパネル５は、その入力面（リモコン２外部に露出している面）に指などが接触した場合に、タッチパネル５上のどの位置に接触があったのかを検知し、検知結果をタッチパネルＩ／Ｆ９に送る。
【００５４】
具体的には、タッチパネル５は、その入力面に指などが触れることにより内部の電荷量が変化することを検出し、これによってタッチパネル５上の指などの動きを検出する、静電容量式のタッチパネルであることを想定している。
【００５５】
なお、タッチパネル５は、抵抗膜方式や、超音波方式等であってもよく、特に限定はされない。なお、抵抗膜方式では、タッチパネル５の下面（リモコン２内部側の面）にフィルムを取り付け、タッチパネル５の上面に指やペンなどが触れることによってタッチパネル５とフィルムとが接するように構成する。そして、タッチパネル５とフィルムとの双方に導通性の薄膜を貼り、電気が通った位置を接触として検出する方式である。また、超音波方式は、タッチパネル５の上面に超音波を伝播させ、タッチパネル５に触れることによる超音波信号の減衰を認識して座標を求める方式である。
【００５６】
また、タッチパネル５の下部（リモコン２内部側）には、表示部８が設けられている。表示部８は、例えば液晶表示パネル等で構成され、制御部１０からの指示に従って画像を表示する。なお、タッチパネル５は、ガラスやフィルム等の透光性の素材で構成されているので、リモコン２のユーザは、タッチパネル５を介して表示部８に表示された画像を視認することができる。
【００５７】
タッチパネルＩ／Ｆ９は、タッチパネル５に入力された信号を座標データに変換して制御部１０に送る。なお、座標データとは、タッチパネル５に接触している指の位置を座標値で示すデータである。
【００５８】
制御部１０は、タッチパネル５から送られる座標データに基づいて、チャンネル切り替えの入力がなされたのか、座標入力がなされたのかを判断する。そして、チャンネル切り替え入力がなされたと判断した場合、制御部１０は、放送受信装置３にチャンネル切り替え動作を実行させるための命令を生成し、生成した命令をＩＲ制御部１２に送る。一方、座標入力がなされたと判断した場合、制御部１０は、タッチパネル５から受け取った座標データをそのままＩＲ制御部１２に送る。
【００５９】
ＩＲ制御部１２は、制御部１０から送られる座標データや、制御部１０が生成した命令をＩＲ信号パターンに変換し、該ＩＲ信号パターンをＩＲ発信部６に送る。ＩＲ発信部６は、図示しない発光素子を備えており、この発光素子がＩＲ制御部１２から送られるＩＲ信号パターンに従って発光する。これにより、ＩＲ信号が生成され、生成されたＩＲ信号がＩＲ発信部６から放送受信装置３へと送信される。
【００６０】
記憶部１１は、制御部１０で使用されるデータやプログラム等を格納している。また、記憶部１１は、入力エリアデータ格納部１３、および移動軌跡格納部１４を備えている。ここで、入力エリアデータ格納部１３に格納されている入力エリアデータのデータ構造について、図３に基づいて説明する。図３は、入力エリアデータのデータ構造の一例を示す図である。
【００６１】
図示のように、入力エリアデータ格納部１３には、各入力エリアに対して、その入力エリアの座標割り当てとその入力エリアに対応する動作とが対応付けて格納されている。図３の例では、ａ≦ｘ＜ｂ、ｄ≦ｙ＜ｅの領域に含まれる点（ｘ，ｙ）は、入力エリア（１）というように、各入力エリアに座標が割り当てられている。なお、点（ｘ，ｙ）は、タッチパッドの入力面上の点である。
【００６２】
そして、各入力エリアには、その入力エリアに対応する動作、すなわちその入力エリアに対応するチャンネルに切り替える命令を送信するという動作が対応付けられている。例えば、入力エリア（１）に対応する動作は、「チャンネルを１に切り替える命令を送信」することである。
【００６３】
なお、各入力エリアに割り当てる命令はチャンネル切り替えに限られない。例えば、放送受信装置３の音量調節を行うための入力エリアを表示部８に表示し、その入力エリアに対応する命令を「音量アップ」や「音量ダウン」としてもよい。また、「インターネットに接続する」等のＰＣへの動作命令を命令としてもよい。
【００６４】
また、タッチパネル５における入力エリアの分割方法は、図２等に示すような１２分割に限られない。必要な動作の数にあわせて入力エリアを配分し、対応する動作と共に、入力エリアデータ格納部１３に記録しておけばよい。
【００６５】
以降の説明では、入力エリアに割り当てられた機能を実行させるための入力操作、すなわち、入力エリアに触れ、そのままその入力エリアから出ることなく指を離す入力操作を「キー入力」と呼ぶ。
【００６６】
移動軌跡格納部１４は、タッチパネル５に入力された入力座標の軌跡を格納する。すなわち、移動軌跡格納部１４には、タッチパネル５に指が触れてから離れるまでの間における座標データの推移が記録される。
【００６７】
〔リモコン２の動作の概略〕
次に、リモコン２の動作の概略について、図４に基づいて説明する。同図（ａ）はユーザがタッチパネル５に触れた状態を示す図であり、同図（ｂ）はタッチパネル５に触れた後、そのまま触れた入力エリアから指を離した状態を示す図であり、同図（ｃ）はタッチパネル５に触れ、触れた入力エリアから他の入力エリアへと指を移動させた後に指を離した状態を示す図である。
【００６８】
同図（ａ）に示すように、ユーザがタッチパネル５に触れると、タッチパネル５からタッチパネルＩ／Ｆ９を介して制御部１０へ、ユーザがタッチパネル５に接触した位置を示す座標データが送られる。
【００６９】
ここで、制御部１０は、入力エリアデータ格納部１３を参照して、受け取った座標データがどの入力エリアに含まれているかを調べる。この場合、制御部１０は、受け取った座標データから、ユーザが「１」の数字が表示されている入力エリア、すなわち入力エリア（１）に触れていることを判断することができる。
【００７０】
（チャンネル入力）
続いて、同図（ｂ）に示すように、入力エリア（１）からそのまま指を離した場合、タッチパネル５から制御部１０への座標データの送信が途絶えることになる。座標データの送信が途絶えると、制御部１０は、入力エリアデータ格納部１３を参照して、ユーザが触れた入力エリアに対応付けられた動作を実行する。この場合、図３に示すように、入力エリア（１）に対応する動作は、「チャンネルを１に切り替える命令を送信する」である。
【００７１】
したがって、この場合、制御部１０は、チャンネルを「１」に切り替える命令を生成し、生成した命令をＩＲ制御部１２に送る。ＩＲ制御部１２およびＩＲ発信部６は、受け取った命令をＩＲ信号に変換し、放送受信装置３に送信する。そして、放送受信装置３では、受信したＩＲ信号を復号し、復号して得られた命令に従って処理を行う。すなわち、この場合、チャンネルを「１」に切り替える処理が行われる。
【００７２】
このように、リモコン２では、ある入力エリアに触れ、そのままその入力エリアから出ることなく指を離した場合に、キー入力があったと判断する。
【００７３】
（座標入力）
一方、図４（ｃ）に示すように、同図（ａ）でタッチパネル５に触れた後、タッチパネル５に指を触れたまま、最初に触れた入力エリアから他の入力エリアへと指を移動させた場合、すなわち入力エリアの境界をまたいだ入力が行われた場合、制御部１０は、座標入力が行われていると判断する。
【００７４】
上述のように、制御部１０は、タッチパネル５から座標データを受け取ると、入力エリアデータ格納部１３を参照して、その座標データが属する入力エリアを判断する。これにより、制御部１０は、ユーザが、最初に触れた入力エリアから他の入力エリアへと指を移動させたこと、すなわち入力エリアの境界をまたいだ入力が行われたことを検出することができる。
【００７５】
制御部１０は、入力エリアの境界をまたいだ入力が行われたことを検出した場合、タッチパネル５から受け取った座標データをそのままＩＲ制御部１２に送る。座標データは、ＩＲ制御部１２およびＩＲ発信部６によってＩＲ信号に変換され、放送受信装置３に送られる。そして、放送受信装置３では、受信したＩＲ信号を復号し、復号して得られた座標データに従って、例えばＰＣ画面上に表示されているカーソルを移動させる等の処理を行う。
【００７６】
〔キー入力の具体例〕
次に、リモコン２でキー入力を行う例を図５に基づいて説明する。同図（ａ）は放送受信装置３のチャンネルを切り替えるチャンネル切り替え動作の一例を示す図であり、同図（ｂ）は同図（ａ）のチャンネル切り替え動作の結果が表示された状態を示す図である。
【００７７】
同図（ａ）に示すように、放送受信装置３のＴＶ画面には、ＣＨ（チャンネル）６が表示されている。同図（ａ）では、ＣＨ６が表示されている状態で、リモコン２のタッチパネル５の「１２」の数字が表示されている入力エリア、すなわち入力エリア（１２）に指を触れた後、そのままタッチパネル５から指を離す様子を示している。
【００７８】
入力エリア（１２）に指を触れると、ユーザがタッチパネル５に触れた位置を示す座標データが、タッチパネル５から制御部１０へと送られる。制御部１０は、座標データを受け取ると、入力エリアデータ格納部１３を参照し、受け取った座標データが入力エリア（１２）に含まれていることを検出する。
【００７９】
そして、ユーザがタッチパネル５から指を離すと、タッチパネル５から制御部１０への座標データの送信が途絶える。座標データの送信が途絶えると、制御部１０は、入力エリアデータ格納部１３を参照して、入力エリア（１２）に対応付けられた動作である、「チャンネルを１２に切り替える命令を送信」する動作を実行する。
【００８０】
具体的には、制御部１０は、チャンネルを１２に切り替える命令を生成し、生成した命令をＩＲ制御部１２に送る。この命令はＩＲ制御部１２およびＩＲ発信部６によってＩＲ信号に変換されて放送受信装置３に送信される。そして、放送受信装置３では、受信したＩＲ信号を復号し、復号して得られた命令に従って処理を行う。
【００８１】
すなわち、この場合、放送受信装置３では、チャンネルを１２に切り替える処理が行われ、図５（ｂ）に示すように、放送受信装置３のＴＶ画面にはＣＨ１２が表示されることになる。
【００８２】
〔座標入力の具体例１〕
次に、リモコン２で座標入力を行う場合の具体例を説明する。図６（ａ）は座標入力動作の一例を示す図であり、同図（ｂ）は同図（ａ）の座標入力の結果が表示された状態を示す図である。
【００８３】
図６（ａ）に示すように、放送受信装置３のＰＣ画面の左下にカーソルが表示されている。同図（ａ）では、ＰＣ画面の左下にカーソルが表示されている状態で、リモコン２のタッチパネル５に指を触れた後、タッチパネル５に指を触れた状態で指を右上へと移動させる様子を示している。
【００８４】
ここで、図示のように、最初にタッチパネル５に触れた位置は入力エリア（１０）であるが、タッチパネル５に指を触れた状態で指を右上へと移動させることにより、ユーザが触れている位置が入力エリア（１０）から他の入力エリアへと変わることになる。
【００８５】
制御部１０は、ユーザが触れている入力エリアが入力エリア（１０）から他の入力エリアへと変わったことを検出した場合、すなわち入力エリアの境界をまたいだ入力が行われたことを検出した場合、タッチパネル５から受け取った座標データをそのままＩＲ制御部１２に送る。座標データは、ＩＲ制御部１２およびＩＲ発信部６によってＩＲ信号に変換され、放送受信装置３に送られる。
【００８６】
そして、放送受信装置３では、受信したＩＲ信号を復号し、復号して得られた座標データに従って、ＰＣ画面上に表示されているカーソルを画面右上へと移動させる。これにより、同図（ｂ）に示すように、ＰＣ画面上に表示されているカーソルが画面右上へと移動することになる。
【００８７】
〔座標入力の具体例２〕
また、図７に示すように、リモコン２からの座標入力によって、表示画面４に表示されている選択領域を移動させることもできる。同図（ａ）では、ＰＣ画面上において、塗りつぶされている文字列（あいうえお）が選択されている文字列、すなわち選択領域を示している。
【００８８】
ここで、送受信システム１のユーザがタッチパネル５に触れ、タッチパネル５に触れた状態で、入力エリアをまたぐように指を下方へと移動させることにより、同図（ｂ）に示すように、選択領域を下方へと移動させることができる。これにより、ユーザは、選択する文字列を「さしすせそ」へと変更することができる。
【００８９】
〔リモコン２における処理の流れ〕
続いて、リモコン２における処理の流れについて図８に基づいて説明する。図８は、リモコン２で行われる処理の一例を示すフローチャートである。まず、リモコン２のユーザがタッチパネル５に触れると、タッチパネル５における電荷の変化がタッチパネルＩ／Ｆ９へと伝達される。
【００９０】
そして、タッチパネルＩ／Ｆ９は、タッチパネル５から伝達される電荷の変化に基づいて、タッチパネル５上において接触があった位置を示す座標データを制御部１０に送る。制御部１０は、座標データを受け取ったときに、タッチパネル５への入力が開始されたと判断する（Ｓ１）。
【００９１】
タッチパネル５への入力が開始されたと判断した場合（Ｓ１でＹＥＳ）、制御部１０は、入力エリアデータ格納部１３を参照し、タッチパネル５から送られる座標データがどの入力エリアに属するかを検出する。続いて、制御部１０は、タッチパネル５から送られる座標データに基づいて、タッチパネル５への入力が入力エリアをまたぐか否かを確認する（Ｓ２）。
【００９２】
具体的には、制御部１０は、所定の時間間隔で入力エリアデータ格納部１３を参照し、Ｓ１で受け取った座標データが属する入力エリア以外の入力エリアに属する座標データを受け取ったか否かを確認する。そして、Ｓ１で受け取った座標データが属する入力エリア以外の入力エリアに属する座標データを受け取ったことを確認した場合に、入力エリアをまたぐ入力が行われたと判断する。
【００９３】
制御部１０は、タッチパネル５への入力が入力エリアをまたいだと判断した場合（Ｓ２でＹＥＳ）、タッチパネル５への入力を座標入力として処理する（Ｓ３）。すなわち、この場合、制御部１０は、タッチパネル５から送られる座標データをそのままＩＲ制御部１２に送る。そして、ＩＲ制御部１２は、この座標データをＩＲ信号に変換し、このＩＲ信号をＩＲ発信部６から放送受信装置３へと送信する。座標データを受信した放送受信装置３は、受信した座標データに基づいて、カーソルを移動させる等の処理を行う。
【００９４】
タッチパネル５への入力を座標入力として処理する場合（Ｓ３）、タッチパネル５から指が離れるまでの間は、タッチパネル５への入力は常に座標入力として処理される。すなわち、タッチパネル５への入力を座標入力として処理する判断が行なわれたのちはリモコン２では、ユーザがタッチパネル５に触れている間は、タッチパネル５上の指の位置を座標データとして放送受信装置３に送信し続ける。
【００９５】
そして、タッチパネル５への入力を座標入力として処理する場合に、タッチパネル５から指が離れたことを検出すると、制御部１０は、Ｓ１に戻ってタッチパネル５への入力を待ち受ける。なお、制御部１０は、タッチパネル５からの座標データ送信が途絶えたときにタッチパネル５から指が離れたと判断する。
【００９６】
一方、Ｓ２でタッチパネル５への入力が入力エリアをまたぐことが検出できなかった場合（Ｓ２でＮＯ）、すなわちユーザの接触位置がＳ１でタッチパネル５に触れた入力エリア内に留まっている場合、制御部１０は、タッチパネル５への入力開始から所定の時間Ｔが経過したか否かを確認する（Ｓ４）。なお、所定の時間Ｔは、例えば、キー入力にかかると想定される時間とすればよい。
【００９７】
所定の時間Ｔが経過している場合（Ｓ４でＹＥＳ）、制御部１０は、タッチパネル５への入力が座標入力であると判断し、Ｓ３に進んでタッチパネル５への入力を座標入力として処理する。すなわち、入力エリアをまたぐことが検出されない場合であっても、タッチパネル５への入力時間が所定の時間Ｔを越えた場合には座標入力として処理する。
【００９８】
一方、所定の時間Ｔが経過していない場合（Ｓ４でＮＯ）、制御部１０は、タッチパネル５から指が離れたか否かを確認する（Ｓ５）。タッチパネル５から指が離れたことが検出できない場合（Ｓ５でＮＯ）、制御部１０はＳ２に戻ってタッチパネル５への入力が入力エリアをまたいだか否かを確認する。一方、指が離れている場合（Ｓ５でＹＥＳ）、制御部１０は、キー入力が行われたと判断し、入力エリアに対応するキー入力として処理する（Ｓ６）。
【００９９】
具体的には、制御部１０は、入力エリアデータ格納部１３を参照し、ユーザが触れていた入力エリアに対応する動作を実行する。この例では、制御部１０は、入力エリアに対応するチャンネルに切り替える命令を生成し、生成した命令をＩＲ制御部１２に送る。
【０１００】
そして、ＩＲ制御部１２は、この命令をＩＲ信号に変換して得られたＩＲ信号をＩＲ発信部６から放送受信装置３へと送信する。この例では、入力エリアに対応するチャンネルに切り替える旨の命令がＩＲ制御部１２に送られる。そして、この命令を受信した放送受信装置３は、表示するチャンネルを切り替える。なお、命令を送信した後、制御部１０は、Ｓ１に戻ってタッチパネル５への入力を待ち受ける。
【０１０１】
すなわち、制御部１０は、タッチパネル５への接触を検出した後、所定の時間Ｔ以内の間に、Ｓ１で検出した接触位置が属する入力エリア以外の入力エリアへの入力を検出しないまま、タッチパネル５からの座標データ送信が途絶えた場合に、キー入力が行われたと判断する。
【０１０２】
このように、図８のフローチャートでは、タッチパネル５への入力が入力エリアをまたぐことを検出するか、あるいはタッチパネル５に入力が開始された後、所定の時間Ｔが経過したことを検出したときにタッチパネル５への入力を座標入力として処理している。
【０１０３】
また、図８のフローチャートでは、タッチパネル５への入力が入力エリアをまたぐことを検出せずに、タッチパネル５から指が離れたことを検出したときにタッチパネル５への入力をキー入力として処理している。
【０１０４】
したがって、ユーザは、チャンネル切り替え等を行う場合には、タッチパネル５に表示されているキーに触れることによってキー操作を行うことができ、座標入力を行う場合には、タッチパネル５に表示されている入力エリアの境界をまたぐように触れるか、Ｔ秒以上タッチパネルに触れることによって座標入力を行うことができる。
【０１０５】
なお、タッチパネル５への入力開始から所定の時間Ｔが経過したか否かを確認するステップ（Ｓ４）は省略してもよい。この場合、制御部１０は、Ｓ２でタッチパネル５への入力が入力エリアをまたぐことが検出できないとき、Ｓ５に進んでタッチパネル５から指が離れたか否かを確認する。
【０１０６】
しかしながら、キー入力を行う場合に、タッチパネル５に触れている時間は通常ほぼ一定の範囲内となる。したがって、その範囲を超えてタッチパネル５に触れているときは、ユーザはキー入力ではなく、座標入力を意図していると判断することが妥当である。そこで、図８のフローチャートでは、タッチパネル５への入力開始から所定の時間Ｔが経過したか否かを確認するステップ（Ｓ４）を設けることにより、ユーザの意図を汲み取った処理を可能にしている。
【０１０７】
（表示画面の切り替え）
ところで、従来、ＰＣ機能やＤＶＤ等の再生機能を備えたテレビ放送受信装置のような、複数種類の画像等を画面表示する装置では、切り替えボタンによって各機能を切り替えて表示させるものが一般的であった。
【０１０８】
例えば、従来の一般的な、ＰＣ機能を備えた放送受信装置では、表示画面に表示される画像は、ＰＣ画面あるいはテレビ画面の何れか一方であり、切り替えボタン等によってその表示画面を切り替える。
【０１０９】
すなわち、テレビの視聴やテレビのチャンネル変更をする場合には、切り替えボタンによって表示画面をテレビに切り替えた後に行い、ＰＣの操作をする場合には、切り替えボタンによって表示画面をＰＣに切り替えた後に行う。
【０１１０】
ここで、例えば、図５〜図７の例では、各入力エリアにはテレビのチャンネル切り替え処理が対応付けられており、座標入力はＰＣに対して行われる。このような場合、チャンネル切り替えの後は表示画面４の全面にチャンネル切り替え後のテレビ画面が表示されることが好ましい。また、座標入力を行う場合には、ＰＣ画面が表示画面４の全面に表示されることが好ましい。
【０１１１】
したがって、例えば、リモコン２でチャンネル切り替え操作を行ったときに、チャンネル切り替えを実行させる命令と共に、表示画面４をテレビ画面に切り替える命令を送信するようにすればよい。これにより、リモコン２でチャンネル切り替えを行うことによって、表示画面４の全面にチャンネル切り替え後のテレビ画面が表示される。
【０１１２】
同様に、リモコン２で座標入力を行ったときに、座標データと共に、表示画面４をＰＣ画面に切り替える命令を送信するようにすればよい。これにより、リモコン２でチャンネル切り替えを行うことによって、表示画面４の全面にＰＣ画面が表示される。
【０１１３】
〔リモコン２で行われる処理の変形例〕
ここで、リモコン２で行われる処理の変形例について図９に基づいて説明する。図９は、リモコン２で行われる処理の変形例を示すフローチャートである。なお、図８のフローチャートと同様の処理については、同一の参照番号を付し、説明を省略する。
【０１１４】
図８のフローチャートでは、タッチパネル５への入力が入力エリアをまたぐことを検出するか、あるいはタッチパネル５に入力が開始された後、所定の時間Ｔが経過したことを検出したときにタッチパネル５への入力を座標入力として処理している。
【０１１５】
これに対し、図９のフローチャートに示す変形例では、タッチパネル５に入力が開始された段階でタッチパネル５への入力を座標入力として処理する。これにより、スムーズな座標入力が可能となる。
【０１１６】
図９のフローチャートにおいて、Ｓ１でタッチパネル５への入力開始を検知した場合（Ｓ１でＹＥＳ）、制御部１０は、タッチパネル５への入力を座標入力として処理する（Ｓ３）。すなわち、図９の例では、入力エリアの境界をまたぐ、またがないに関わらず、タッチパネル５への接触を検知すると、座標データをＩＲ制御部１２およびＩＲ発信部６を介して放送受信装置３に送信する処理を行う。
【０１１７】
これにより、入力エリアの境界をまたいだことを検出した後にタッチパネル５への入力を座標入力として処理する場合や、タッチパネル５に入力が開始された後、所定の時間Ｔが経過したことを検出したときにタッチパネル５への入力を座標入力として処理する場合と比べて、よりスムーズに座標入力を行うことができる。
【０１１８】
続いて、制御部１０は、タッチパネル５から指が離れたか否かを確認し（Ｓ５）、指が離れていない場合（Ｓ５でＮＯ）には、Ｓ３に戻って引き続きタッチパネル５への入力を座標入力として処理する。
【０１１９】
一方、指が離れている場合（Ｓ５でＹＥＳ）、制御部１０は、タッチパネル５への入力開始から、タッチパネル５から指が離れるまでの間に所定の時間Ｔが経過したか否かを確認する（Ｓ４）。所定の時間Ｔが経過している場合（Ｓ４でＹＥＳ）、制御部１０は、Ｓ３に戻ってタッチパネル５への入力を引き続き座標入力として処理する。
【０１２０】
すなわち、図９の例では、図８の例と同様に、タッチパネル５への入力開始から、タッチパネル５から指が離れるまでの間に所定の時間Ｔが経過している場合は、タッチパネル５への入力を座標入力として処理する。
【０１２１】
一方、タッチパネル５への入力開始から、タッチパネル５から指が離れるまでの間に所定の時間Ｔが経過していない場合（Ｓ４でＮＯ）、制御部１０は、移動軌跡格納部１４を参照し、Ｓ１で入力を開始してから指が離れるまでの座標データのうち、Ｓ１で入力を開始したときに検出した座標データの属する入力エリア以外の入力エリアに属する座標データを検出したか否かを確認する。すなわち、制御部１０は、指の移動軌跡が同一エリア内に留まっていたか否かを確認する（Ｓ１１）。
【０１２２】
指の移動軌跡が同一エリア内に留まっていた場合（Ｓ１１でＹＥＳ）、制御部１０は、キー入力が行われたと判断し、入力エリアデータ格納部１３を参照してその入力エリアに対応する動作を実行する。この例では、入力エリアに対応するチャンネルに切り替える旨の命令がＩＲ制御部１２に送られる。そして、この命令を受信した放送受信装置３は、表示するチャンネルを切り替える。なお、制御部１０は、命令送信後、Ｓ１に戻ってタッチパネル５への入力を待ち受ける。
【０１２３】
一方、指の移動軌跡が同一エリア内に留まっていない、すなわち他の入力エリアに属する座標データが検出された場合（Ｓ１１でＮＯ）、制御部１０は、Ｓ１に戻ってタッチパネル５への入力を待ち受ける。
【０１２４】
このように、図９のフローチャートでは、タッチパネル５への接触を検出したときにタッチパネル５への入力を座標入力として処理している。また、図９のフローチャートでは、タッチパネル５から指が離れたときに、所定の時間Ｔが経過しておらず、かつタッチパネル５への入力開始から、タッチパネル５から指が離れるまでの間に入力エリアをまたぐ座標データが検出されていないときに、タッチパネル５への入力をキー入力として処理している。
【０１２５】
したがって、図９の例では、ユーザは、タッチパネル５に触れるだけで座標入力を行うことができ、チャンネル切り替え等を行う場合には、Ｔ以内の接触時間で、入力エリアをまたがないようにしながら、タッチパネル５に表示されているキーに触れることによってキー操作を行うことができる。
【０１２６】
ここで、図８の例と図９の例とを比較する。図８の例では、座標入力を行う場合に、入力エリアをまたぐか否かを判定するステップ（Ｓ２）の後、あるいはタッチパネル５への接触時間がＴを越えたか否かを判定するステップ（Ｓ４）の後に座標入力としての処理が行われる。したがって、タッチパネル５に触れた後、座標入力として処理が行われるまでに若干のタイムラグが発生する。
【０１２７】
これに対し、図９の例では、タッチパネル５への接触を検出したときにタッチパネル５への入力を座標入力として処理しているので、図８の例のようなタイムラグが発生しないというメリットがある。
【０１２８】
その反面、図９の例では、ユーザがチャンネル入力を意図してタッチパネル５に触れた場合であっても、まず座標入力として処理が行われるので、ＰＣ画面上のカーソルが移動する等のユーザの意図しない動作が行われることがある。
【０１２９】
これに対し、図８の例では、チャンネル入力時にユーザの意図しない動作が行われることがないというメリットがある。また、図８の例では、移動軌跡格納部１４は不要であるから、図８のフローチャートに従ってタッチパネル５への入力を処理する場合、移動軌跡格納部１４を省略することができる。
【０１３０】
〔実施の形態２〕
本発明の他の実施形態について図１０〜図１６に基づいて説明する。なお、上述の実施形態と同一の機能を有する部材については、同一の符号を付し、その説明を省略する。
【０１３１】
本実施形態の送受信システム２１は、入力エリアの設定および表示を可変にした構成である。これにより、送受信システム１と比べてさらに多様なキー入力が可能となっている。
【０１３２】
〔送受信システム２１の概要〕
図１０は、送受信システム２１の概略構成を示すブロック図である。図示のように、送受信システム２１は、リモコン（入力装置）２２および放送受信装置（受信装置）２３を備えている。
【０１３３】
放送受信装置２３は、テレビ放送の受信機能、ＰＣ機能に加え、さらにラジオ放送の受信機能、ＤＶＤ再生機能、およびＣＤ（Compact Disk）再生機能を備えている。なお、図１０では、簡単のため、放送受信装置２３の構成のうち、本発明の特徴点に関わる構成のみを示しているが、実際には、放送受信装置２３は、テレビ放送やラジオ放送を受信、表示するための種々の構成や、ＰＣ機能、ＣＤ、ＤＶＤの再生機能等を実現するための種々の構成を備えている。
【０１３４】
リモコン２２は、エリア分け設定変更部（領域割当変更手段）２５、ＩＲ受信部２６、およびＩＲデコード部２７を備えている点、および制御部１０が制御部２４に代わり、記憶部１１が記憶部２８に代わっている点がリモコン２と異なる。
【０１３５】
制御部２４は、キー入力が行われたと判断した場合、キー入力が行われた入力エリアを示すキー入力データを生成し、生成したキー入力データをＩＲ制御部１２およびＩＲ発信部６を介して放送受信装置２３に送信する。すなわち、制御部２４は、キー入力が行われた入力エリアがどの入力エリアであるかを放送受信装置２３に伝達する。
【０１３６】
記憶部２８は、制御部２４で使用されるデータやプログラム等を格納している。また、記憶部２８は、エリア分け設定格納部２９を備えている。ここで、エリア分け設定格納部２９に格納されているデータついて、図１１に基づいて説明する。図１１は、エリア分け設定格納部２９に格納されているデータの一例を示す図である。
【０１３７】
図示のように、エリア分け設定格納部２９には、エリア分けパターンに対し、そのエリア分けパターンに含まれる入力エリアと、各入力エリアの座標割り当てとが対応付けて格納されている。また、各エリア分けパターンと、そのエリア分けパターンを適用するときのタッチパネル５の表示とが対応付けて格納されている。
【０１３８】
エリア分けパターンは、タッチパネル５における入力エリアの割り当てを示している。例えば、図１１の例では、エリア分けパターンの欄に「メニュー」と記載されている。そして、エリア分けパターン「メニュー」に対応する入力エリア欄には、「ＴＶ」「ＣＤ」等が記載されている。すなわち、エリア分けパターン「メニュー」では、タッチパネル５に「ＴＶ」「ＣＤ」等の入力エリアが割り当てられる。
【０１３９】
また、各エリア分けパターンと、そのエリア分けパターンを適用するときのタッチパネル５の表示とが対応付けて格納されているので、エリア分けパターンに応じた画像を表示部８に表示させることができる。なお、タッチパネル５の表示画像データは、記憶部２８に格納されている。
【０１４０】
エリア分け設定変更部２５は、タッチパネル５における入力エリアの割り当てを変更する。また、エリア分け設定変更部２５は、入力エリアの割り当てを変更するときに、必要に応じて表示部８に表示する画像を変更する。
【０１４１】
ＩＲ受信部２６は、ＩＲ信号を受信するものであり、図示しない受光素子を備えている。ＩＲ受信部２６は、受信したＩＲ信号をＩＲデコード部２７に送る。そして、ＩＲデコード部２７は、ＩＲ受信部２６から受け取ったＩＲ信号をデコードし、制御部２４が処理可能なデータ形式に変換して制御部２４に送る。
【０１４２】
一方、放送受信装置２３は、ＩＲ受信部（受信部）３０、ＩＲデコード部３１、ＩＲ発信部３２、ＩＲ制御部３３、放送受信装置制御部（受信装置制御手段）３４、および放送受信装置記憶部３５を備えている。なお、ＩＲ受信部３０、ＩＲデコード部３１、ＩＲ発信部３２、ＩＲ制御部３３は、ＩＲ受信部２６、ＩＲデコード部２７、ＩＲ発信部６、ＩＲ制御部１２とそれぞれ同様の機能および構成を備えている。すなわち、送受信システム２１においては、リモコン２２と放送受信装置２３との両方がＩＲの送受信機能を備えており、双方向にデータの送受信ができる構成となっている。
【０１４３】
放送受信装置制御部３４は、リモコン２２が送信したキー入力データをＩＲ受信部３０およびＩＲデコード部３１を介して受け取ると、そのキー入力データに対応する動作を行う。キー入力データを受け取ったときの放送受信装置制御部３４の動作については後述する。
【０１４４】
また、放送受信装置制御部３４は、リモコン２２が送信した座標データを受け取ると、受け取った座標データを図示しないＰＣ制御部（ＰＣ動作を制御する）等に送信する。ＰＣ制御部に座標データが送信された場合、ＰＣ制御部は、例えばＰＣ画面上のカーソルを移動させる等の動作を行う。これにより、リモコン２２からの指示によって、放送受信装置２３の操作を行うことができる。
【０１４５】
放送受信装置記憶部３５は、放送受信装置制御部３４で使用されるデータやプログラム等を格納している。また、放送受信装置記憶部３５は、エリア対応動作格納部３６を備えている。エリア対応動作格納部３６に格納されているデータついて、図１２に基づいて説明する。図１２は、エリア対応動作格納部３６に格納されているデータの一例を示す図である。
【０１４６】
図示のように、エリア対応動作格納部３６には、入力エリアと、その入力エリアに対応する動作と、その動作に対応する放送受信装置２３の表示とが対応付けて格納されている。したがって、放送受信装置制御部３４は、エリア対応動作格納部３６を参照することによって、リモコン２２から受信したキー入力データが示す入力エリアに対応する動作を行うことができ、また、必要に応じて放送受信装置２３の表示画面４に表示する画像を変更することができる。
【０１４７】
続いて、送受信システム２１において、エリア分けパターンを変更する例について、図１３に基づいて説明する。同図（ａ）はメニュー画面でキー入力を行う例を示す図であり、同図（ｂ）はＣＤ選曲画面でＣＤの選曲を行う例を示す図であり、同図（ｃ）はＣＤ選曲画面からメニュー画面に戻す例を示す図である。
【０１４８】
図１３（ａ）に示すように、放送受信装置２３の表示画面４の左半分は２×２の４つの領域に分割されており、各領域には、それぞれ「ＴＶ」「Ｒａｄｉｏ」「ＣＤ」「ＤＶＤ」と表示されている。この画面がメニュー画面である。
【０１４９】
メニュー画面は、放送受信装置記憶部３５に格納されており、リモコン２２からの操作入力等によって、表示画面４に表示させることができる。なお、図１３では、表示画面４の左半分にメニュー画面を表示させた例を示したが、メニュー画面は表示画面４の右半分に表示してもよいし、表示画面４の全面に表示してもよい。要は、ユーザが視認できる形態で画面表示されるのであればどのような表示形態でもよい。
【０１５０】
また、このとき、タッチパネル５にも放送受信装置２３に表示されているメニュー画面と同じく、それぞれ「ＴＶ」「Ｒａｄｉｏ」「ＣＤ」「ＤＶＤ」と表示されている４つの分割領域が表示されている。すなわち、図１３（ａ）では、エリア分けパターンが「メニュー」である場合の表示例を示している（図１１参照）。
【０１５１】
また、この４つの分割領域のそれぞれが入力エリアに設定されている。すなわち、入力エリアデータ格納部１３には、タッチパネル５を４等分する座標割り当てと、各座標割り当てに対応する入力エリア名とが対応付けて格納されている（図１１参照）。
【０１５２】
ここで、図１３（ａ）に示すように、タッチパネル５の「ＣＤ」と表示されている入力エリアでキー入力を行うと、リモコン２２の制御部２４は、入力エリア「ＣＤ」でキー入力が行われたことを示すキー入力データを放送受信装置２３に送信する。
【０１５３】
入力エリア「ＣＤ」でキー入力が行われたことを示すキー入力データを受信した放送受信装置制御部３４は、エリア対応動作格納部３６を参照し、入力エリア「ＣＤ」に対応する動作を行う。ここで、図１２に示すように、入力エリア「ＣＤ」に対応する動作は、エリア分けパターン「ＣＤ」を送信する処理であるから、放送受信装置制御部３４は、エリア分けパターンが「ＣＤ」であることを示すデータをリモコン２２に送信する。
【０１５４】
また、図１２に示すように、入力エリア「ＣＤ」に対応する表示は、ＣＤの曲目表示であるから、放送受信装置制御部３４は、放送受信装置記憶部３５からＣＤの曲目表示用の画像データを読み出して表示画面４に表示する。これにより、図１３（ｂ）に示すように、放送受信装置２３に表示されていたメニュー画面がＣＤ選曲画面に切り替わる。
【０１５５】
そして、エリア分けパターンが「ＣＤ選曲」であることを示すデータを受信したリモコン２２の制御部２４は、エリア分け設定変更部２５にエリア分けパターンを「ＣＤ選曲」に変更するように指示する。指示を受けたエリア分け設定変更部２５は、エリア分け設定格納部２９における、エリア分けパターン「メニュー」を無効とし、「ＣＤ選曲」のエリア分けパターンを有効にする。
【０１５６】
なお、エリア分けパターンを無効とする処理は、制御部２４がエリア分け設定格納部２９を参照するときに、無効としたエリア分けパターンを参照しないようにする処理を指す。同様に、エリア分けパターンを有効とする処理は、制御部２４がエリア分け設定格納部２９を参照するときに、有効としたエリア分けパターンを参照するように設定する処理を指す。
【０１５７】
また、図１１に示すように、エリア分けパターン「ＣＤ選曲」に対応する表示は、ＣＤの曲目表示であるから、エリア分け設定変更部２５は、記憶部２８からＣＤの曲目表示用の画像データを読み出して表示部８に表示する。これにより、図１３（ｂ）に示すように、リモコン２２のタッチパネル５に表示されていたメニュー画面がＣＤ選曲画面に切り替わる。
【０１５８】
ＣＤ選曲画面は、図示のように、３×３の９つの入力エリアに分割されている。そして、９つの入力エリアのうち、８つの入力エリアには、それぞれ「ＣＤ１」〜「ＣＤ８」と表示されており、残りの１つの入力エリアには、「ｍｅｎｕ」と表示されている。ここでは、「ＣＤ１」〜「ＣＤ８」はそれぞれＣＤの曲目を示しており、「ｍｅｎｕ」は図１３（ａ）に示すメニュー画面を表示する処理を示している。
【０１５９】
ここで、タッチパネル５の「４」と表示されている入力エリアでキー入力を行うと、制御部２４は、エリア分け設定格納部２９を参照し、キー入力が行われた位置を示す座標データがどの入力エリアに含まれるかを調べる。
【０１６０】
ここでは、エリア分けパターン「ＣＤ選曲」が有効になっているので、制御部２４は、エリア分けパターン「ＣＤ選曲」に含まれる入力エリアから、キー入力が行われた位置を示す座標データがどの入力エリアに含まれるかを調べる。これにより、制御部２４は、入力エリア「４」でキー入力が行われたと判断し、入力エリア「４」でキー入力が行われたことを示すキー入力データが放送受信装置２３に送信される。
【０１６１】
入力エリア「４」でキー入力が行われたことを示すキー入力データを受信した放送受信装置制御部３４は、エリア対応動作格納部３６を参照し、入力エリア「４」に対応する動作を行う。ここで、入力エリア「４」に対応する動作は、「ＣＤの４曲目を再生する」処理であるから、放送受信装置制御部３４は、ＣＤの４曲目を再生する指示を図示しないＣＤ制御部（ＣＤ機能を制御する）に送信する。これにより、図１３（ｃ）に示すように、ＣＤの４曲目が再生される。
【０１６２】
続いて、同図（ｃ）に示すように、「ｍｅｎｕ」と表示されている入力エリアでキー入力を行うと、放送受信装置２３の表示画面４およびタッチパネル５に表示されていたＣＤ選曲画面が、同図（ａ）に示すようなメニュー画面に変更される。
【０１６３】
このように、送受信システム２１では、タッチパネル５の入力エリアの割り当て、および各入力エリアに対応する動作を変更可能とし、表示画面４およびタッチパネル５に表示されている画像も入力エリアおよびその入力エリアに対応する動作の変更にあわせて変更している。これにより、ユーザは、多様な入力処理をタッチパネル５および表示画面４の表示に従ってキー入力を行うだけで実行することができる。
【０１６４】
なお、入力エリアの割り当てが変更された場合も、入力エリアをまたいだ入力を行うことで座標入力ができる点は、上述の実施形態と同様である。ここで、図１３（ａ）の入力エリアのように、各入力エリアの面積が比較的広い割り当てとなる場合には、タッチパネル５に触れた後、入力エリアをまたぐまでの時間が長くなり、座標入力として認識されるまでに時間がかかることも考えられる。このような場合には、図９のフローチャートのように、タッチパネル５に触れたときにすぐ座標入力として処理することが好ましい。
【０１６５】
エリア分け処理の流れについて、図１４および図１５に基づいて説明する。図１４はリモコン２２におけるエリア分け処理の一例を示すフローチャートであり、図１５は放送受信装置２３におけるエリア分け処理の一例を示すフローチャートである。
【０１６６】
まず、制御部２４は、タッチパネル５へのキー入力の有無を確認する（Ｓ２１）。キー入力があったことを検出した場合（Ｓ２１でＹＥＳ）、制御部２４は、エリア分け設定格納部２９を参照し、そのキー入力に対応する入力エリアを読み出す。続いて、制御部２４は、キー入力が行われた入力エリアを示すキー入力データを生成し、生成したキー入力データをＩＲ制御部１２およびＩＲ発信部６を介して放送受信装置２３に送信する（Ｓ２２）。
【０１６７】
そして、放送受信装置制御部３４は、ＩＲ受信部３０およびＩＲデコード部３１を介してキー入力データを受け取ると（Ｓ３１）、エリア対応動作格納部３６を参照し、受け取ったキー入力データに対応する動作を実行する。具体的には、放送受信装置制御部３４は、受信したキー入力データに対応するエリア分けパターンをＩＲ制御部３３およびＩＲ発信部３２を介してリモコン２２に送信する（Ｓ３２）。
【０１６８】
リモコン２２の制御部２４は、ＩＲ受信部２６およびＩＲデコード部２７を介してエリア分けパターンを受信すると（Ｓ２３）、エリア分け設定変更部２５にエリア分けパターンを変更するよう指示する。指示を受けたエリア分け設定変更部２５は、エリア分け設定格納部２９を参照し、受信したエリア分けパターンと現在のエリア分けパターンとが一致するか否か、すなわちエリア分けパターンに変更があるか否かを確認する（Ｓ２４）。
【０１６９】
エリア分けパターンに変更がない場合（Ｓ２４でＮＯ）、エリア分け設定変更部２５は、そのまま処理を終了する。この場合、制御部２４は再度キー入力を待ち受ける（Ｓ２１）。一方、エリア分けパターンに変更がある場合（Ｓ２４でＹＥＳ）、エリア分け設定変更部２５は、現在のエリア分けパターンを無効とし、受信したエリア分けパターンを有効とする（Ｓ２５）。
【０１７０】
また、エリア分け設定変更部２５は、エリア分け設定格納部２９を参照してリモコン２２の表示に変更があるか否かを確認する。表示変更がある場合、エリア分け設定変更部２５は、記憶部２８から対応する画像データを読み出して制御部２４に送り、制御部２４は受け取った画像データを表示部８に表示する。
【０１７１】
このようにして、リモコン２２ではタッチパネル５のエリア分けが行われる。そして、制御部２４は、エリア分け変更後、Ｓ２１に戻ってキー入力を待ち受ける。ここでは、エリア分け変更後のエリア分けパターンに基づいてキー入力処理を行うことになる。
【０１７２】
なお、送受信システム２１では、放送受信装置２３からの指示に従ってエリア分けの変更を行っているが、キー入力時にリモコン２２の制御部２４がエリア分け変更の有無を判断するようにしてもよい。例えば、リモコン２２の記憶部２８にキー入力と、そのキー入力に対応するエリア分けパターンに変更する処理とを対応付けて格納しておけば、制御部２４は、キー入力時にエリア分けの変更を行うことができる。この場合、リモコン２２はＩＲ受信部２６およびＩＲデコード部２７を備えている必要が無く、放送受信装置２３はＩＲ発信部３２およびＩＲ制御部３３を備えている必要がない。
【０１７３】
〔入力エリアをタッチパネルに表示させない場合〕
なお、入力エリアをタッチパネル５に表示させない形態とすることもできる。入力エリアをタッチパネル５に表示させない場合の例について図１６に基づいて説明する。同図（ａ）は入力エリアを表示していないタッチパネル５の例を示す図であり、同図（ｂ）は放送受信装置２３の表示画面４の一例を示す図である。
【０１７４】
図示のように、タッチパネル５は左右方向をｘ、上下方向をｙとしてタッチパネル５上の位置を座標で示している。同様に、放送受信装置２３の表示画面４も左右方向をｘ、上下方向をｙとして表示画面４上の位置を座標で示している。
【０１７５】
ここで、同図（ａ）に示すように、タッチパネル５上の点Ｐ（ｘ，ｙ）に触れると、同図（ｂ）に示すように、放送受信装置２３の表示画面４の点Ｐ（ｘ，ｙ）に対応する位置、すなわち点Ｑ（ｘ，ｙ）に対応する動作が実行される。この例では、点Ｑは「Ｒａｄｉｏ」と表示されている領域に含まれているので、放送受信装置２３は、ラジオ放送の選局用メニューを表示する等の予め設定された処理を実行する。
【０１７６】
このように、タッチパネル５に入力エリアを表示しない場合でも、放送受信装置２３の表示画面４に入力エリアを表示することによって、入力エリアの選択を行うことができる。この場合、入力エリアを表示させないので、タッチパネル５の代わりにタッチパッドを用いてもよい。タッチパッドは、タッチパネルと比べて安価であるから、タッチパネル５の代わりにタッチパッドを用いた場合、リモコン２２の製造コストを抑えることができる。
【０１７７】
〔リモコンから座標データのみを送信する構成〕
上述の説明では、リモコン２の制御部１０、あるいはリモコン２２の制御部２４がキー入力の有無を判定する例を示したが、キー入力の有無を放送受信装置３あるいは放送受信装置２３で判定するようにしてもよい。この場合、リモコンは座標データの送信のみを行えばよいので、リモコンの構成を簡略化することができる。
【０１７８】
例えば、入力エリアデータ格納部１３を放送受信装置３に備え、リモコンから送られる座標データに基づいて、キー入力がなされたのか、座標入力がなされたのかを判断する構成とすることもできる。
【０１７９】
具体的には、放送受信装置制御部３４は、リモコンから座標データを受信した後、座標データの受信が途絶えるまでの間に、１つの入力エリアに含まれる座標データのみを受信した場合に、その入力エリアに対してキー入力が行われたと判断することができる。また、放送受信装置制御部３４は、リモコンから受信した座標データが属する入力エリアが、他の入力エリアへと変化した場合に、座標入力が行われたと判断することができる。
【０１８０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１８１】
最後に、リモコン２およびリモコン２２、放送受信装置２３の各ブロック、特に制御部１０、制御部２４、および放送受信装置制御部３４は、ハードウェアロジックによって構成してもよいし、次のようにＣＰＵを用いてソフトウェアによって実現してもよい。
【０１８２】
すなわち、リモコン２、リモコン２２、および放送受信装置２３は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアであるリモコン２、リモコン２２、および放送受信装置２３の制御プログラムのプログラムコード（実行形式プログラム、中間コードプログラム、ソースプログラム）をコンピュータで読み取り可能に記録した記録媒体を、上記リモコン２、リモコン２２、あるいは放送受信装置２３に供給し、そのコンピュータ（またはＣＰＵやＭＰＵ）が記録媒体に記録されているプログラムコードを読み出し実行することによっても、達成可能である。
【０１８３】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１８４】
また、リモコン２、リモコン２２、あるいは放送受信装置２３を通信ネットワークと接続可能に構成し、上記プログラムコードを、通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１８５】
本発明によれば、座標入力と、タッチパネルに表示されている各領域に割り当てられたキー入力との２通りの入力処理を特別な切り替え操作なしで行うことができる。したがって、本発明は、リモコンに限らず、ＰＣのタッチパッド等、種々の電子機器の入力装置として適用できる。
【図面の簡単な説明】
【０１８６】
【図１】本発明の実施形態を示すものであり、本発明のリモコンの概略構成を示すブロック図である。
【図２】本発明の実施形態を示すものであり、本発明の送受信システムの概要を示す平面図である。
【図３】本発明の実施形態を示すものであり、入力エリアデータのデータ構造の一例を示す図である。
【図４】本発明の実施形態を示すものであり、同図（ａ）はユーザがタッチパネルに触れた状態を示す図であり、同図（ｂ）はタッチパネルに触れた後、触れた入力エリアから指を離した状態を示す図であり、同図（ｃ）はタッチパネルに触れ、触れた入力エリアから他の入力エリアへと指を移動させた後に指を離した状態を示す図である。
【図５】本発明の実施形態を示すものであり、同図（ａ）は放送受信装置のチャンネルを切り替えるチャンネル切り替え動作の一例を示す図であり、同図（ｂ）は同図（ａ）のチャンネル切り替え動作の結果が表示された状態を示す図である。
【図６】本発明の実施形態を示すものであり、（ａ）は座標入力動作の一例を示す図であり、同図（ｂ）は同図（ａ）の座標入力の結果が表示された状態を示す図である。
【図７】本発明の実施形態を示すものであり、同図（ａ）は座標入力動作の一例を示す図であり、同図（ｂ）は同図（ａ）の座標入力の結果が表示された別の例を示す図である。
【図８】本発明の実施形態を示すものであり、上記リモコンで行われる処理の一例を示すフローチャートである。
【図９】本発明の実施形態を示すものであり、上記リモコンで行われる処理の他の例を示すフローチャートである。
【図１０】本発明の実施形態を示すものであり、送受信システムの他の例を示すブロック図である。
【図１１】本発明の実施形態を示すものであり、エリア分け設定格納部の一例を示す図である。
【図１２】本発明の実施形態を示すものであり、エリア対応動作格納部の一例を示す図である。
【図１３】本発明の実施形態を示すものであり、同図（ａ）はメニュー画面でキー入力を行う例を示す図であり、同図（ｂ）はＣＤ選曲画面でＣＤの選曲を行う例を示す図であり、同図（ｃ）はＣＤ選曲画面からメニュー画面に戻す例を示す図である。
【図１４】本発明の実施形態を示すものであり、リモコンにおけるエリア分け処理の一例を示すフローチャートである。
【図１５】本発明の実施形態を示すものであり、放送受信装置におけるエリア分け処理の一例を示すフローチャートである。
【図１６】本発明の実施形態を示すものであり、同図（ａ）は入力エリアを表示していない表示画面の例を示す図であり、同図（ｂ）は放送受信装置の表示画面の一例を示す図である。
【図１７】従来技術を示すものであり、従来のノート型ＰＣの外観を示す図である。
【図１８】従来技術を示すものであり、上記ノート型ＰＣのタッチパネルの形態を示す図である。
【符号の説明】
【０１８７】
１    送受信システム
２    リモコン（入力装置）
３    放送受信装置
５    タッチパネル（入力部）
６    ＩＲ発信部
８    表示部
９    タッチパネルＩ／Ｆ
１０    制御部（命令生成手段）
１１    記憶部
１２    ＩＲ制御部（送信部）
１３    入力エリアデータ格納部
１４    移動軌跡格納部
２１    送受信システム
２２    リモコン（入力装置）
２３    放送受信装置（受信装置）
２４    制御部
２５    エリア分け設定変更部（領域割当変更手段）
２６    ＩＲ受信部
２７    ＩＲデコード部
２８    記憶部
２９    エリア分け設定格納部
３０    ＩＲ受信部
３１    ＩＲデコード部
３２    ＩＲ発信部
３３    ＩＲ制御部
３４    放送受信装置制御部（受信装置制御手段）
３５    放送受信装置記憶部
３６    エリア対応動作格納部
【図１】
2008165574.tif 000003
【図２】
2008165574.tif 000004
【図３】
2008165574.tif 000005
【図４】
2008165574.tif 000006
【図５】
2008165574.tif 000007
【図６】
2008165574.tif 000008
【図７】
2008165574.tif 000009
【図８】
2008165574.tif 000010
【図９】
2008165574.tif 000011
【図１０】
2008165574.tif 000012
【図１１】
2008165574.tif 000013
【図１２】
2008165574.tif 000014
【図１３】
2008165574.tif 000015
【図１４】
2008165574.tif 000016
【図１５】
2008165574.tif 000017
【図１６】
2008165574.tif 000018
【図１７】
2008165574.tif 000019
【図１８】
2008165574.tif 000020